(57)【要約】【課題】  高速、精密切削可能な自動化中古ＣＤ盤の剥離・再生装置の提供【解決手段】  電磁弁投入筒１、真空吸着パット３、バブル盤６、回転切削盤１０、仕上げＣＤと塗装切削片とに仕分け・回収部（スロート２４、排出口２７）、全体の動きを管理する制御盤１１から構成された中古ＣＤ盤塗装剥離装置。【選択図】図１
0003122413.tif 000002
【実用新案登録請求の範囲】
【請求項１】
中古ＣＤ盤を投入・貯蔵する電磁弁投入筒Ａと、中古ＣＤ盤を真空吸着する真空吸着機構Ｂと、中古ＣＤ盤を載せて回転切削部まで運ぶバブル盤Ｃと、回転切削部Ｄと、仕上げＣＤと塗装切削片とに仕分け・回収する処理部Ｅと、各機素全体の動きを管理する制御部Ｆから構成され、しかも全体に或いは各作業単位毎に同期して移動するスライド板が部位Ａ〜Ｆの下側に設けられており、且つ真空吸着機構Ｂとバブル盤Ｃとの間を前後に移動する搬送機構を有する中古ＣＤ盤塗装剥離装置であって、
（イ）電磁弁投入筒Ａは、スライド板との間に移動する中古ＣＤ盤の１枚分の隙間を残してスライド板上に載置・係止されるものであり、（ロ）真空吸着機構Ｂは移送作用に同期したエアセンサの働きで真空パットの吸着作用で移送される中古ＣＤ盤を吸着するものであり、（ハ）回転切削部Ｄは、バルブ盤に載せられ移送された中古ＣＤ盤に密着して回転切削する回転切削盤から構成されることを特徴とする中古ＣＤ盤塗装剥離装置。
【請求項２】
真空吸着機構Ｂが、エアセンサと、サーポモータと、エアセンサの作用で稼働するエアシリンダと、その先端に取り付けられた真空パットとから構成されることを特徴とする、請求項１記載の中古ＣＤ盤塗装剥離装置。
【請求項３】
回転切削部Ｄが、モータと、サーポモータと、同調プーリと、回転切削盤から構成されることを特徴とする、請求項１記載の中古ＣＤ盤塗装剥離装置。
【請求項４】
処理部Ｅが、仕上げＣＤと塗装切削片とを自動的にエアで吹き飛ばして外へ出すことにより、それらの比重差で仕上げＣＤと塗装切削片とに仕分け・回収する機構を有することを特徴とする、請求項１記載の中古ＣＤ盤塗装剥離装置。
【考案の詳細な説明】
【技術分野】
【０００１】  本考案は、情報等を記録するＣＤ盤のリサイクル化のために、中古ＣＤ盤面上のプラスチック等の塗装部分と金属部分とを剥離・分離する新規な中古ＣＤ盤塗装剥離装置に関する。
より詳しくは、本考案は、中古ＣＤ盤を塗装部分と金属部分とに剥離・分離する工程が自動化可能な中古ＣＤ盤塗装剥離装置に関する。
【背景技術】
【０００２】  従来、各種の情報を記録するＣＤ盤や光ディスク、特に追記型ＣＤ盤では、データの書き直しが聞かないために多量の中古ＣＤ盤が発生し、多量に廃棄されるのが現状であった。
それの処分のために、これらの中古ＣＤ盤を溶鉱炉に投入して処分しているのが一般的であるが、ガス発生量が多く二次損失が大で、且つコスト高であって、中古ＣＤ盤のリサイクル化も難しい。【０００３】  中古ＣＤ盤等の処理装置として、特許文献１には、塗装部分と金属部分とに剥離・分離するのに、装置に投入したＣＤ盤を刃物盤に密接させ、一定圧力下で刃物盤を回転させて両者を剥離・分離後に移送・仕分ける装置が知られている。
また、特許文献２には、光デイスク等の中古ＣＤ盤の再生装置として、中古ＣＤ盤に圧搾空気を吹き付けるか、粉砕された中古ＣＤ盤を溶剤に浸けてプラスチック等の塗装部分を溶解するか、鋭利な刃物で削って塗装部分と金属部分とに分離するか、中古ＣＤ盤の表面にローラーを押し付けて分離するか、ＣＤ盤の表面の一部にカッターで切れ目を付けて圧搾空気を吹き付けて分離する等の多様な手段が示されている。
更に、特許文献３には、光ディスク等の中古ＣＤ盤の剥離装置として、ＣＤ基板とダミーＣＤとの間を楔等で押し開いた後に圧搾空気を吹き付けて両者を剥離する操作を順次行う自動剥離装置が知られている。
【特許文献１】登録実用新案第３０３４８４６号公報
【特許文献２】特開第２００３−１０９２５３号公報
【特許文献３】特開２００２−１９７７３１号公報
【考案の開示】
【考案が解決しようとする課題】
【０００４】  しかしながら、上記のような各種の中古ＣＤ盤の剥離装置では、未だ十分なものではなかった。
特許文献１では、回転する刃物盤上に密接したＣＤ盤を連続的に剥離した後に搬送・回収すると共に、剥離したプラスチック屑を取り除くと言う部分的な自動化を開示するが、本考案のように全てを自動化するための工夫は示されていない。
特許文献２、３では、本考案のように回転する刃物盤を使用するものでなく、本考案のように精密に切削・分離等の行程を完全に自動化することは開示されていない。
【課題を解決するための手段】
【０００５】  本考案者等は上記課題について種々検討した結果、回転する切削盤を用いる中古ＣＤ盤の剥離・再生技術について種々の工夫を講じることにより、高速且つ精密切削ができる自動化技術を完成するに至った。
即ち、本発明は；以下の通りである。なお、部品には理解を助けるために、符号を付した。
（１）中古ＣＤ盤１３を投入・貯蔵する電磁弁投入筒１Ａと、中古ＣＤ盤１３を真空吸着する真空吸着機構Ｂと、中古ＣＤ盤１３を載せて回転切削部まで運ぶバブル盤６Ｃと、回転切削部Ｄと、仕上げＣＤと塗装切削片とに仕分け・回収する処理部Ｅと、各機素全体の動きを管理する制御盤１１Ｆから構成され、しかも全体に或いは各作業単位毎に同期して移動するスライド板２が部位Ａ〜Ｆの下側に設けられており、且つ真空吸着機構Ｂとバブル盤６Ｃとの間を前後に移動する搬送部１２を有する中古ＣＤ盤塗装剥離装置であって、
（イ）電磁弁投入筒１Ａは、スライド板１２との間に移動する中古ＣＤ盤１３の１枚分の隙間を残してスライド板１２上に載置・係止されるものであり、（ロ）真空吸着機構Ｂは移送作用に同期したエアセンサ８の働きで真空パット３の吸着作用で移送される中古ＣＤ盤１３を吸着するものであり、（ハ）回転切削部Ｄは、バルブ盤６に載せられ移送された中古ＣＤ盤１３に密着して回転切削する回転切削盤１０から構成される、中古ＣＤ盤塗装剥離装置である。【０００６】  （２）真空吸着機構Ｂが、エアセンサ８と、サーポモータ５と、エアセンサ８の作用で稼働するエアシリンダ４と、その先端に取り付けられた真空パット３とから構成される。
（３）回転切削部Ｄが、モータ２０と、サーポモータ５’と、同調プーリ９と、回転切削盤１０から構成される。
（４）処理部Ｅが、仕上げＣＤ１４と塗装切削片１５とを自動的にエアで吹き飛ばして外へ出すことにより、それらの比重差で仕上げＣＤ１４と塗装切削片１５とに仕分け・回収する機構を有する。
【考案の効果】
【０００７】  本考案の中古ＣＤ盤の剥離装置によると、仕上げＣＤ盤と回転切削片とに高速に且つ精密に自動的に処理でき、中古ＣＤ盤のリサイクル化に貢献できる。
【考案を実施するための最良の形態】
【０００８】  以下、本発明を詳細に説明する。
図１〜５に基づいて本考案の中古ＣＤ盤塗装剥離装置を説明する。
図１は、本考案の中古ＣＤ盤塗装剥離装置の全体斜視図である。
図２は、その側面図である。
図３は、その正面図である。
図４は、その平面図である。
図５は、本考案の中古ＣＤ盤塗装剥離装置を構成する回転切削盤の（ａ）その側面図、（ｂ）その見上げ図、（ｃ）切削刃断面を示す。【０００９】  本考案の中古ＣＤ盤塗装剥離装置を用いて中古ＣＤ盤を自動的、精密に剥離・
分離する行程について以下に説明する。
図１、２に示すように、（ｉ）準備行程；本考案の中古ＣＤ盤塗装剥離装置の支台２１上に縦列に複数個のスライド板２がスライド可能に設けられ、該スライド板２上に複数個の電磁弁投入筒１が、電磁弁の作用により中古ＣＤ盤１枚分の隙間を残して浮いた状態でスライド板２上に横列に整列して係止されて、準備段階に入っている。
更に、該個々の電磁弁投入筒１に、多数の中古ＣＤ盤１３（図２によると、予め２０、３０個の中古ＣＤ盤１３を投入してある）を塗装面を上にして投入し装置の作動に備える。【００１０】  （ｉｉ）電磁弁投入筒の移動
次に、縦列に複数個のスライド板２上に中古ＣＤ盤投入済みの電磁弁投入筒１が載置・係止され（Ａ位置）、スライド板２の下側の移送機構によりスライド板２が滑動・移動する。
該スライド板２上に電磁弁投入筒１から順次落とされた中古ＣＤ盤１３がスライド板２に乗って移動する。
（ｉｉｉ）真空パットに吸着した状態での中古ＣＤ盤の移動
真空吸着機構（エアセンサ８が作用してエアーシリンダ４とエアーシリンダ４の先端に取り付けられ真空パット３から構成される）により個々の真空パット３の真下にきた個々の中古ＣＤ盤１３をタイミング良く吸着する（Ｂ位置）。
該真空吸着機構は、搬送部１２を介して次のブロアローターリバルブ盤６まで移動する。そのバルブ盤６上に来たら真空パット３の吸着作用が止められて、中古ＣＤ盤１３が落とされる（Ｃ位置）。【００１１】  （ｉｖ）中古ＣＤ盤の回転切削盤への移動と回転切削の開始
中古ＣＤ盤１３が乗ったバルブ盤６は前記スライド板２に乗ったまま回転切削盤１０の真下に来て停止する（Ｄ位置）。
該回転切削部内の回転切削盤１０の切削回転が所定の回転速度（中古ＣＤ盤１枚の切削時間約１．２秒の割り）で開始され、塗装部分が切削されて仕上りＣＤ１４が得られる。
（ｖ）仕上りＣＤ盤と塗装切削片との分離・仕分け
回転切削盤１０により中古ＣＤ盤の塗装面が自動的に回転切削され剥離されて、得られた仕上りＣＤ１４と塗装切削片１５はエアで吹き飛ばされて、押し出されて仕上りＣＤ１４はスロート２４に載せられて回収される（Ｅ位置）。一方、切削された塗装切削片１５は同様に吹き飛ばされて、排出口２７から排出されて（Ｅ位置）、取り出されて処分される。【００１２】  （ｖｉ）中古ＣＤ盤塗装剥離装置の工程管理
この工程管理には、別途設けられた制御盤１１により自動的に効率良く行われる。
即ち、この制御盤１１には、中古ＣＤ盤塗装剥離装置を可動する操作電源３０、作業開始前の準備ボタン３１、各工程Ａ−Ｂ−Ｃ−Ｄ−Ｅへの切替えスイッチ３２、元に戻す復帰ボタン３３、操作一般を司る一般スイッチ３４が夫々設けられている。
各作業位置（Ａ乃至Ｅ）毎に全体の稼働が同期されるように予め設定され、全工程が管理されていて、本考案の装置は自動化して管理されている。【００１３】  図３は、装置の正面図を示し、該装置中の真空吸着機構を構成するサーポモータ５、搬送部１２、架板２２、エアーシリンダ４、４’、真空パット３とからなる真空吸着機構が、滑動するスライド板２上に載せられた中古ＣＤ盤１３を吸着する状態を示している。
図４は、装置の平面図を示し、中古ＣＤ盤１３が順次１枚づつスライド板１２に載せられて移動し（Ａ位置）、真空吸着部の直下に来ると（Ｂ位置）、真空吸着部内のエアセンサ８の働きにより真空パット４の作用により中古ＣＤ盤１３’が吸着されたまま、サーポモータ５の作動により架板２２が搬送部１２を介してバブル盤６まで来て停止し、真空吸着を停止して中古ＣＤ盤を落とす（Ｃ位置）状態までを示している。
図５には、回転切削部を構成する回転切削盤１０の構成が示されている。
即ち、回転切削盤１０は、股部２５の下端にリング状の切削刃２４が取り付けられており、中古ＣＤ盤の厚さ１ｍｍで回転数２７００乃至２９００ｒｐｍで１枚の中古ＣＤ盤の切削時間約１．２秒の割りで回転切削を行うことができる。
【図面の簡単な説明】
【００１４】
【図１】  本考案の中古ＣＤ盤塗装剥離装置の全体斜視図である。
【図２】  その側面図である。
【図３】  その正面図である。
【図４】  その平面図である。
【図５】  本考案の中古ＣＤ盤塗装剥離装置を構成する回転切削盤の（ａ）その側面図、（ｂ）その見上げ図、（ｃ）切削刃断面を示す。
【符号の説明】
【００１５】１  投入筒
２  スライド板
３  真空パット
４  エアシリンダ
５、５’  サーポモータ
６  バブル盤
７  笠部
８  エアセンサ
９  同調プーリ
１０  回転切削盤
１１  制御盤
１２  搬送部
１３、１３’  中古ＣＤ盤
１４  仕上りＣＤ盤
１５  塗装切削片
１６  回転切削盤
２０  モータ
２０ａ、２０ｂ  モータＡ、Ｂ
２１  支台
２２  架板
２４、２４’    切削刃
２５  股部
２７  排出口
３０  操作電源
３１  準備ボタン
３２  切換スイッチ
３３  復帰ボタン
３４  一般スイッチ
【図１】
0003122413.tif 000003
【図２】
0003122413.tif 000004
【図３】
0003122413.tif 000005
【図４】
0003122413.tif 000006
【図５】
0003122413.tif 000007